(57)【要約】【課題】  蓋体と保持アームとを確実に係合することのできる床下収納庫を提供することである。【解決手段】  床２に開口３を設け、同開口３に収納部４を保持する上枠５を支承し、蓋枠６に板体７を内設した蓋体８を上枠５内に閉塞状態で床２上面と略面一になるように開閉可能に設けてなる床下収納庫１において、上枠５下面に蓋体８を保持する蓋保持機構９を取着し、蓋体８に係合するヒンジ板１０及び保持アーム１１を蓋保持機構９に対して可動状態に上方に突出し、ヒンジ板１０は蓋体８後端部の蓋枠６に、保持アーム１１は蓋枠６内側部にそれぞれ係合し、同保持アーム１１の蓋体８係合部分を、蓋枠６側面から内側に凸設される係合軸１２に保持アーム１１先端に設けた係合孔１３を係合軸１２の先端が保持アーム１１から突出するように軸着し、蓋枠６に設けられたシャッター片１４を該軸着部分に移動させ係合軸１２先端と係合してなる床下収納庫１としている。【選択図】図１
2005133293.tif 000002
【特許請求の範囲】
【請求項１】
床に開口を設け、同開口に収納部を保持する上枠を支承し、蓋枠に板体を内設した蓋体を上枠内に閉塞状態で床上面と略面一になるように開閉可能に設けてなる床下収納庫において、上枠下面に蓋体を保持する蓋保持機構を取着し、蓋体に係合するヒンジ板及び保持アームを蓋保持機構に対して可動状態に上方に突出し、ヒンジ板は蓋体後端部の蓋枠に、保持アームは蓋枠内側部にそれぞれ係合し、同保持アームの蓋体係合部分を、蓋枠側面から内側に凸設される係合軸に保持アーム先端に設けた係合孔を係合軸の先端が保持アームから突出するように軸着し、蓋枠に設けられたシャッター片を該軸着部分に移動させ係合軸先端と係合してなる床下収納庫。
【請求項２】
シャッター片は保持アームの蓋体係合部分より先端側に回動可能に設けられるとともに、保持アームと係合軸の軸着部分における係合状態で、係合軸側に付勢されていることを特徴とする請求項１に記載の床下収納庫。
【請求項３】
シャッター片の端部分を係合軸の先端方向に向け斜めに形成したことを特徴とする請求項１または２に記載の床下収納庫。
【請求項４】
係合軸及びシャッター片は、蓋枠コーナー部に沿って固着されるＬ型の補強材の一部を、保持アームが係合軸に係合状態で補強材外面と略面一になるように形成された凹所に設けられていることを特徴とする請求項１から３のいずれか一つに記載の床下収納庫。
【発明の詳細な説明】
【技術分野】
【０００１】
本発明は、住宅の床下部分に設置される床下収納庫に関するものである。
【背景技術】
【０００２】
居室や台所などの床下に設けられ用いられる床下収納庫は、未利用空間を収納スペースとして用いることができるため、以前から多く利用されている。
【０００３】
これは一般には図３に示されるように、床２に開口３を設け、同開口３に収納部４を保持する上枠５を支承し、蓋枠６に板体７を内設した蓋体８を上枠５内に閉塞状態で床上面と略面一になるように開閉可能に設けたもので、このものでは収納物を取り出しやすいように網籠２９を収納部４内に設けている。
【０００４】
床下収納庫１の蓋体には置き蓋のものと開閉蓋のものとがあり、利用者により選択することが可能である。このうち開閉蓋のものには、開閉時に開き方向に付勢し利用者を補助する機構を有するものがある。
【０００５】
この機構にはまた別に、蓋体を開けた状態で保持し、収容物の出し入れ時に蓋体が閉まり、利用者が怪我をすることが無いようにしたものがある。
【０００６】
一般にこの機構は、本体部分を床下収納庫の上枠に設け、本体部分から延びる保持アームを蓋体に係合させることで構成されるが、そのため組立する必要がある。
【０００７】
図４には、従来用いられてきた保持アーム１１を蓋体８に取り付ける手順が示されている。
【０００８】
保持アームの先端部分には、蓋体の側面外側に凸設されている係合軸１２と係合する係合孔が係合軸１２に比べ大きく形成されている。この係合軸１２は、軸の先端部分に鍔が形成されていて、係合孔を通って保持アームから突出して係合している。
【０００９】
さらに保持アーム１１に沿ってスライド可能に設けられたシャッター片１４が図の様に設けられていて、図４（ａ）（ｂ）の順に保持アーム１１と係合軸１２とを係合した後、シャッター片１４を係合軸１２方向にスライドさせ、鍔と保持アーム１１との間にシャッター片１４が挿入され、係合軸先端の鍔がシャッター片先端のＵ字状部分に引っ掛けて抜け止めとしている。
【特許文献１】特開２００１−３２５１８号公報
【発明の開示】
【発明が解決しようとする課題】
【００１０】
しかしながら床下収納庫の蓋体は必要に応じ頻繁に開閉されるものでありまた元々遊びを有して蓋体を取りつけているため、これら係合部分にも開閉に伴う振動が加わる。そのためこのようなシャッター片では、使用中にずれて保持アームが外れてしまうおそれがある。もし外れてしまった場合には、蓋体を自立保持させることができなくなり、突然蓋体が倒れ腕などを挟んでしまうこととなる。
【００１１】
そのため図４（ｃ）に示す様に外れ止めのために補助テープ３２を蓋枠に沿って貼着しているが、施工時に貼着し忘れるおそれもあり解決が望まれていた。
【００１２】
本願発明は、上記背景技術に鑑みて発明されたものであり、その課題は、蓋体と保持アームとを確実に係合することのできる床下収納庫を提供することである。
【課題を解決するための手段】
【００１３】
上記課題を解決するために、床に開口を設け、同開口に収納部を保持する上枠を支承し、蓋枠に板体を内設した蓋体を上枠内に閉塞状態で床上面と略面一になるように開閉可能に設けてなる床下収納庫において、上枠下面に蓋体を保持する蓋保持機構を取着し、蓋体に係合するヒンジ板及び保持アームを蓋保持機構に対して可動状態に上方に突出し、ヒンジ板は蓋体後端部の蓋枠に、保持アームは蓋枠内側部にそれぞれ係合し、同保持アームの蓋体係合部分を、蓋枠側面から内側に凸設される係合軸に保持アーム先端に設けた係合孔を係合軸の先端が保持アームから突出するように軸着し、蓋枠に設けられたシャッター片を該軸着部分に移動させ係合軸先端と係合してなる床下収納庫としている。
【発明の効果】
【００１４】
本願発明の床下収納庫においては、保持アームの蓋体係合部分を、蓋枠側面から内側に凸設される係合軸に保持アーム先端に設けた係合孔を係合軸の先端が保持アームから突出するように軸着し、蓋枠に設けられたシャッター片を該軸着部分に移動させ係合軸先端と係合したために、シャッター片が外れにくくすることが可能となる。
【発明を実施するための最良の形態】
【００１５】
本発明を実施するための最良の形態である実施例を、図１及び図２にその要部部分を拡大して示す。なお図２は蓋体を起立させた床下収納庫を後ろ側（蓋体表側）から見た図であって、便宜上蓋枠を切り欠いた図となっている。
【００１６】
本実施例では、床２に開口３を設け、同開口３に収納部４を保持する上枠５を支承し、蓋枠６に板体７を内設した蓋体８を上枠５内に閉塞状態で床２上面と略面一になるように開閉可能に設けてなる床下収納庫１において、上枠５下面に蓋体８を保持する蓋保持機構９を取着し、蓋体８に係合するヒンジ板１０及び保持アーム１１を蓋保持機構９に対して可動状態に上方に突出し、ヒンジ板１０は蓋体８後端部の蓋枠６に、保持アーム１１は蓋枠６内側部にそれぞれ係合し、同保持アーム１１の蓋体８係合部分を、蓋枠６側面から内側に凸設される係合軸１２に保持アーム１１先端に設けた係合孔１３を係合軸１２の先端が保持アーム１１から突出するように軸着し、蓋枠６に設けられたシャッター片１４を該軸着部分に移動させ係合軸１２先端と係合してなる床下収納庫１としている。
【００１７】
なお図３は従来例としても示したが床下収納庫全体を示した概略図である。ここで収納部４は図３に示す様に上側に段部３０を形成した上が開口した容器であり、上端周で上枠５に支承されている。なお、大小の網籠２９を図示した様に用いている。また蓋体８は開状態で点線で示した位置で保持されるものである。
【００１８】
この網籠２９は大きいものを収容できるものと、小さいものが収納部４の底に落ち込み取りづらくならないように、収納部４の上方に内側にせり出す段部３０を対向して設け、段部３０間に底の浅い網籠２９を架設し利便性を高めている。
【００１９】
なおこういった床下収納庫１は使用状態でかなりの重量を持つため、開口３部分には補強枠２０を開口に沿って設け、床２が抜けることを防いでいる。また、図示は特にしていないが、床下にモルタルなどで山を作り収納部の底を保持することも行なわれている。
【００２０】
ところで係合軸１２及びシャッター片１４は、蓋枠６のコーナー部に沿って固着されるＬ型の補強材１６の一部を、保持アーム１１が係合軸１２に係合状態で補強材１６外面と略面一になるように形成された凹所２３に設けられている。なおシャッター片１４は回同軸１７を凹所２３に突設し、該回同軸１７に軸着されて設けられている。またこのシャッター片１４には係合軸１２の先端と係合する様に係合穴１８が形成されている。
【００２１】
この係合穴１８を設けたことにより、係合軸１２の先端をシャッター片１４に摺設させながらシャッター片１４を移動させていくと、この係合穴１８と係合したときにクリック感が得られ、正しく係合させることが可能となるとともに、シャッター片１４が外れにくくなされている。
【００２２】
そしてこの補強材１６は、図２のように蓋枠６を構成する略コ字状の型材の内側にリブ２２を形成し、リブと型材外壁との間で挟まれる部位に挿入固定されている。なお補強材１６に設けられた凹所２３が入る部分には、リブ２２を切り欠いている。これにより蓋枠６と保持アーム１１との間に隙間を大きく形成することができるので、保持アーム１１を無理なく係合軸１２に係合させることができる。
【００２３】
またシャッター片１４は、保持アーム１１との蓋体係合部分より先端側に回動可能に設けられるとともに、保持アーム１１と係合軸１２の軸着部分における係合状態で、係合軸側に付勢されている。すなわちこのシャッター片は、図２に示す様にその回動位置を係合軸先端より根元側に位置させている。このためシャッター片を係合軸１２と係合させたときには、通常状態に比べて外側に先端が位置することになるので、回動軸３３によりシャッター片１４は係合軸１２側に付勢されることになる。
【００２４】
さらにシャッター片１４の端部分を係合軸１２の先端方向に向け斜めに形成されている。図１では、この回動し係合軸１２に係合する状況を点線でシャッター片１４を描き示している。これにより、ほぼ同じ平面内に位置する保持アーム１１とシャッター片１４とが、シャッター片１４を移動させる際にシャッター片１４が保持アーム１１に乗り上げることが可能となり、容易に移動することができる。
【００２５】
なお、このシャッター片１４を移動させずに蓋体８を閉めようとすると、シャッター片１４に設けられているツマミ部分（図１のシャッター片に示されているコ字状部分）が蓋枠６に引っかかり、蓋枠６から突出した状態となるため、上枠５にシャッター片１４が当設し、完全に蓋体８が閉まらないので、床上面と略面一にならず、組み立てミスに気づきやすくなっている。
【００２６】
また補強材１６には、図２に示す様にスライド片２７が設けられていて、補強材１６に沿って移動可能となっている。これはヒンジ板１０に設けられるヒンジ係合軸１９に蓋体８の端部を簡単に係合させるために、この端部枠体部分には先端方向に開放したＵ字状の溝２５が形成されていて、蓋体８の仮保持を簡単にすることができる。
【００２７】
その後蓋体８をヒンジ板１０と本係合させるために、該スライド片２７をヒンジ板１０側に移動させ、その先端部分がちょうどヒンジ軸２６の抜け防止になるように溝２５の内側に挿入し行われる。このような構成で本係合を行わせるため、仮に蓋体８を取外す必要が生じた場合にも、蓋体８を起こし、スライド片２７に突設されているツマミ２８を操作し、スライド片２７先端を溝２５内から抜き取ることで溝２５が開放され、保持アーム１１を外した状態で蓋体８を持ち上げるだけで簡単に蓋体８を床下収納庫１から分離することが可能となる。
【００２８】
なおこの補強材１６には、板体７を蓋枠６に固定する際の補強として用いる折り曲げ片２４を形成していて、蓋枠６に板体７を蓋枠６の側方からネジなどの固着具で固定した後、さらにこの折り曲げ片２４にて同じく固着具で補強固定することが可能となっている。
【００２９】
なお、保持アーム１１は板状の金属で形成されるが、中ほど部分で段部分を設けて内側に先端が位置するようにされている。これにより蓋枠６を係合軸１２に嵌める際に若干外向きに広げることとなり、係合状態で常に内向きに保持アーム１１が付勢されることとなり、仮にシャッター片１４が外れていたとしても、すぐに保持アーム１１が蓋体８から外れる可能性を低くしている。
【図面の簡単な説明】
【００３０】
【図１】本願発明の一実施形態である床下収納庫の要部を拡大して示した側面図である。
【図２】同要部の正面図であって、（ａ）はシャッター片及びスライド片の係合前の状態を、（ｂ）はシャッター片及びスライド片の係合後の状態を示している。
【図３】床下収納庫全体を示した側面図である。
【図４】従来の床下収納庫の蓋体取りつけ手順を示した概略図である。
【符号の説明】
【００３１】
１  床下収納庫
２  床
３  開口
４  収納部
５  上枠
６  蓋枠
７  板体
８  蓋体
９  蓋保持機構
１０  ヒンジ板
１１  保持アーム
１２  係合軸
１３  係合孔
１４  シャッター片
１５  傾斜部
１６  補強材
１７  回同軸
１８  係合穴
１９  ヒンジ係合軸
２０  補強枠
２１  蓋保持機構本体
２２  リブ
２３  凹所
２４  折り曲げ片
２５  溝
２６  ヒンジ軸
２７  スライド片
２８  ツマミ
２９  網籠
３０  段部
３１  第２保持アーム
３２  補助テープ
３３  軸
【図１】
2005133293.tif 000003
【図２】
2005133293.tif 000004
【図３】
2005133293.tif 000005
【図４】
2005133293.tif 000006